(57)【要約】【課題】座った時の冷感を抑えるとともに、清潔感を向上させ、同時に強固な便座を得るものとする。【解決手段】便器８に載置された本体７と、開閉自在の便座４とを備え、この便座４において  上面部５を樹脂製、すなわち開閉時に手で触れる下面部６を金属製とすることにより、座った時の冷感を抑えるとともに、清潔感を向上させ、同時に強固な便座を得ることができる。【選択図】  図２
2004350730.tif 000002
【特許請求の範囲】
【請求項１】
便器上に載置された本体と、開閉自在の便座とを備え、前記便座の上面部を樹脂製とし、下面部を金属製としたトイレ装置。
【請求項２】
下面部をステンレス製とした請求項１記載のトイレ装置。
【請求項３】
下面部をアルミ合金製とした請求項１記載のトイレ装置。
【請求項４】
下面部を塗装した請求項１〜３のいずれか１項に記載のトイレ装置。
【請求項５】
便座を暖房可能とした請求項１〜４のいずれか１項に記載のトイレ装置。
【請求項６】
本体を温水洗浄便座とした請求項１〜５のいずれか１項に記載のトイレ装置。
【発明の詳細な説明】
【０００１】
【発明の属する技術分野】
本発明は、トイレ装置の便座に関するものである。
【０００２】
【従来の技術】
従来、この種のトイレ装置としては、上面部（人が便座に座った時に肌が接触する側）および下面部を共に金属製にしたものがあった（例えば、特許文献１参照）。図５は前記特許文献ｌに記載された従来のトイレ装置を示すものである。図５において、便座１の上面部２および下面部３を共に金属製としている。
【０００３】
【特許文献１】
実開平６−８５４７７号公報（第１図）
【０００４】
【発明が解決しようとする課題】
しかしながら、前記従来の構成では、上面部２が金属製であるため、座った時の冷感が強く、この解決策としてヒータを常に入れる方法等があるが、ランニングコストが高くなり、また、実際には肌が直接触れる部分が金属製であると熱くなりすぎ、便座としては適さないという課題を有していた。
【０００５】
本発明は、上記従来の課題を解決するもので、座った時の冷感を抑えるとともに、清潔感を向上させ、同時に強固な便座を得るトイレ装置の提供を目的とする。
【０００６】
【課題を解決するための手段】
前記従来の課題を解決するために、本発明のトイレ装置は便器上に載置された本体と、開閉自在の便座とを備え、便座の上面部を樹脂製、下面部を金属製とするものである。これによって、座った時の冷感を抑えるとともに、清潔感を向上させ、同時に強固な便座とするものである。
【０００７】
【発明の実施の形態】
請求項１に記載の発明は、便座の上面部を樹脂製、下面部を金属製としたもので、上面部は金属製より比熱が低く、便座開閉時に手で触れる下面部は樹脂製と比較すると表面自由エネルギーが大きく、その表面の親水性が高い金属製であり、汚れが付着しにくくなり清潔感を保ち、さらに便器の衝撃を直接受ける部分も金属製であるため、座った時の冷感を抑えるとともに、清潔感を向上させ、同時に強固な便座を得ることができる。
【０００８】
請求項２に記載の発明は、特に請求項１に記載の下面部をステンレス製とすることにより、小水などによる汚れからの腐食を防止することができる。
【０００９】
請求項３に記載の発明は、特に請求項１に記載の下面部をアルミ合金製とすることにより、軽くて開閉動作の容易なものとすることができる。
【００１０】
請求項４に記載の発明は、特に請求項１〜３に記載の下面部を塗装することにより、上面部との色合わせができ、デザイン性を高めることができる。
【００１１】
請求項５に記載の発明は、特に請求項１〜４に記載の便座を暖房可能とすることにより、冬場等の寒い時にも快適な座り心地を得ることができる。
【００１２】
請求項６に記載の発明は、特に請求項１〜５に記載の本体を温水洗浄便座とすることにより、局部等を洗浄する、いわゆるトータル的に清潔感を要求される分野において、商品性をさらに高めることができる。
【００１３】
【実施例】
以下、本発明の実施の形態について、図面を参照しながら説明する。
【００１４】
（実施例１）
図１は、本発明の第１の実施例におけるトイレ装置の便座の上面の斜視図を示すものであり、図２は本発明の第１の実施例におけるトイレ装置の便座の下面の斜視図であり、図３は本発明の第１の実施例におけるトイレ装置の外観斜視図である。
【００１５】
図１、図２、図３において、便座４の上面部５は樹脂で形成されており、下面部６は金属で形成されている。そしてこの便座４が回転自在に本体７に係合している。８は本体７及び便座４を載置する便器であり、９は便ふたである。ここでは便座４の下面部６をステンレス製としている。
【００１６】
以上のように構成されたトイレ装置において、便座４の上面部５は樹脂製であり、その比熱は金属製のものより低く、便座４開閉時に手で触れる下面部６は樹脂製と比較して表面エネルギーが大きく親水性の高いステンレス製であり、汚れが付着しにくく、さらに便器８の衝撃を直接受ける下面部６もステンレス製となる。したがって、座った時の冷感を抑えるとともに、清潔感を向上させ、同時に強固な便座を得ることができる。
【００１７】
また、本実施例において、下面部６をアルミ合金製とすることにより、清潔感を保ちつつ、軽量化された便座４となり、便座４開閉動作を楽に行うことができる。
【００１８】
また、本実施例において、金属製の下面部６に塗装を施すことにより、清潔感を保ちつつ、かつ上面部５あるいは本体７との色合わせができ、デザイン性を向上させることができる。
【００１９】
また、本実施例において、便座４を暖房可能とすることにより、清潔感を保ちつつ、冬場等の寒い時にも快適な座り心地を得ることができる。なお、上面部６が金属製であった場合は常に便座４を暖房しないと、座った時の冷感が強いが、本発明においては、上面部６が樹脂製であるため、冷感は強くなく、余程寒い時でない限り、便座４の暖房は必要なく、ランニングコストを抑えることができる。また、便座４の暖房方法としては便座４にヒータ線等の発熱体を貼り付けたり埋め込んだりすることが一般的であるが、本発明において方法を限定するものではない。
【００２０】
（実施例２）
図４は、本発明の第２の実施例におけるトイレ装置の外観斜視図を示すものである。
【００２１】
実施例１の構成と異なるのは、本体７を温水洗浄便座としたところである。なお、実施例１と同一符号のものは同一構造を有し、説明は省略する。
【００２２】
以上のように構成されたトイレ装置において、局部等を洗浄すると言ういわゆるトータル的に清潔感を強く要求される製品分野において、便座４の清潔性と相まって商品性をさらに高めることができる。
【００２３】
【発明の効果】
以上のように、本発明によれば、座った時の冷感を抑えるとともに、清潔感を向上させ、同時に強固な便座を得るトイレ装置とすることができる。
【図面の簡単な説明】
【図１】本発明の実施例１におけるトイレ装置の便座の上斜視図
【図２】本発明の実施例１におけるトイレ装置の便座の下斜視図
【図３】本発明の実施例１におけるトイレ装置の外観斜視図
【図４】本発明の実施例２におけるトイレ装置の外観斜視図
【図５】従来のトイレ装置の斜視図
【符号の説明】
４  便座
５  上面部
６  下面部
７  本体
８  便器
【図１】
2004350730.tif 000003
【図２】
2004350730.tif 000004
【図３】
2004350730.tif 000005
【図４】
2004350730.tif 000006
【図５】
2004350730.tif 000007